(57)【特許請求の範囲】
【請求項１】
トレイ容器連結部に予め切り込みを入れ、前記切り込み以外の部分を切断する１個または複数のオス刃と、オス刃と形状の異なる１個又は複数のメス刃とを用いて前記連結部を打ち抜き、打ち抜いた形状物をメス刃の間を通過させて除去または回収するセパレートトレイ容器の製造方法。
【請求項２】
トレイ容器連結部にミシン目と星型のとんがり部の切り込みを入れ、円周上のとんがり部をつないで切断する刃がある円形形状のオス刃と、円周上にとんがり部のある円形形状のメス刃とを用いて前記連結部を打ち抜き、とんがり部のある円形形状物をメス刃の間を通過させて除去する請求項１に記載のセパレートトレイ容器の製造方法。
【請求項３】
トレイ容器連結部に、ミシン目と星型のとんがり部とコーナー部の切り込みを入れ、円周上に４枚の刃がある円形形状のオス刃と、円周上に４ヶ所のとんがり部のある円形形状のメス刃を用いて、前記トレイ容器連結部の内部を打ち抜き、打ち抜いたとんがり部のある円形形状物をメス刃の間を通過させて除去し、とんがり部のある円形形状の穴が連結部中央部に１ヶ所または複数ヶ所開いた中間製品を得、セパレートトレイ容器の外周部の形状を有するオス刃と、前記セパレートトレイ容器全体を含む形状のメス刃を用いて、前記中間製品の外周部を打ち抜き、得られたセパレートトレイ容器をメス刃の間を通過させて回収する請求項１または２に記載のセパレートトレイ容器の製造方法。
【発明の詳細な説明】
【技術分野】
【０００１】
本発明は、セパレートトレイ容器の製造方法に関し、更に詳しくは打ち抜いた形状物を安全に除去または回収することのできるセパレートトレイ容器の製造方法に関する。
【背景技術】
【０００２】
特許文献１の従来の技術には、コロッケ等の冷凍食品を収容して包装するための容器として、プラスチック製のセパレートトレイ容器が使用されている。
【０００３】
このセパレートトレイ容器は、６個のトレイが連結部を介して連設されているとともに、前記連結部の左右の端部間に２本、前後の端部間に１本のミシン目による切り離し線がそれぞれ形成され、前記切り離し線に沿ってトレイを１個ずつ切り離すことができるものである。しかし、このようなセパレートトレイ容器は、切り離したとき、ミシン目のクロスしている部分が直角になるため、怪我をする心配があった。
【０００４】
特許文献２には、四隅が丸まっているマルチパックが分離可能に連結したマルチパック容器の製造方法が記載されている。段落００１２に、アセンブリの部分（星型形状部）は、熱形成作業中又は熱形成作業後に切り抜かれるか又は切り取られると記載されている。
【０００５】
また、特許文献３の図３には、容器の打ち抜き工程の図面が記載されている。
【０００６】
しかし、特許文献２に記載されているマルチパックの星状形状の部分を、引用文献３に記載されている公知の方法（打ち抜く部分の刃の形状が同じ）で大量に打ち抜きした場合、打ち抜いた形状物にむらができて切り離したトレイの外周に角ができたり、切断された破片がマルチパック容器に付着して容器に充填される食品に混入するといった危険性があった。
【先行技術文献】
【特許文献】
【０００７】
【特許文献１】特開２０００―３３９３０公報（段落０００２，図６，７）
【特許文献２】特表２００９−５３１２３５公報（段落００１２，図１）
【特許文献３】特開２００８−２１３３５５公報（図３）
【発明の概要】
【発明が解決しようとする課題】
【０００８】
本発明は、トレイ容器を打ち抜く工程で発生する形状物を確実に回収し、また、切り離した際にトレイの角で怪我をしないように、四隅が丸まったトレイを切り離すことのできる安全性の高いセパレートトレイを低コストで大量に生産する方法を提供できるようにすることにある。
【課題を解決するための手段】
【０００９】
上述した課題を解決するために、本発明に係るセパレートトレイ容器の製造方法は、トレイ容器連結部に予め切り込みを入れ、前記切り込み以外の部分を切断する１個または複数のオス刃と、オス刃と形状の異なる１個又は複数のメス刃とを用いて前記連結部を打ち抜き、打ち抜いた形状物をメス刃の間を通過させて除去または回収するものとしてある。
【００１０】
また、トレイ容器連結部にミシン目と星型のとんがり部の切り込みを入れ、円周上のとんがり部をつないで切断する刃がある円形形状のオス刃と、円周上にとんがり部のある円形形状のメス刃とを用いて前記連結部を打ち抜き、とんがり部のある円形形状物をメス刃の間を通過させて除去するものとしてある。
【００１１】
また、トレイ容器連結部に、ミシン目と星型のとんがり部とコーナー部の切り込みを入れ、円周上に４枚の刃がある円形形状のオス刃と、円周上に４箇所のとんがり部のある円形形状のメス刃を用いて、前記トレイ容器連結部の内部を打ち抜き、打ち抜いたとんがり部のある円形形状物をメス刃の間を通過させて除去し、とんがり部のある円形形状の穴が連結部中央部に１箇所または複数箇所開いた中間製品を得、セパレートトレイ容器の外周部の形状を有するオス刃と、前記セパレートトレイ容器全体を含む形状のメス刃を用いて、前記中間製品の外周部を打ち抜き、得られたセパレートトレイ容器をメス刃の間を通過させて回収するものとしてある。
【発明の効果】
【００１２】
本発明に係るセパレートトレイ容器の製造方法によれば、前もってトレイ容器連結部に切り込みを入れておくので、打ち抜く際に切断する部分が少なくなり、切断する形状の頂点がずれずに同じ形状のものを大量に打ち抜くことが可能である。
なお、オス刃（打ち抜く際に切断する部分）の形状とメス刃（打ち抜く部分全体）とが異なるのは、このためである。
【００１３】
また、打ち抜いた形状物をメス刃の間を通過させて除去または回収することにより、半製品と異物（星型等の形状物）、あるいは製品と異物（半星状等の形状物）を完全に分離できる。このため、異物がトレイに付着して混入する心配のないセパレートトレイ容器を大量に製造することができる。
【００１４】
さらに、上記記載の技術を用いることにより、四隅が丸まったトレイを切り離すことのできる安全性の高いセパレートトレイを低コストで大量に生産することできる。
【図面の簡単な説明】
【００１５】
【図１】加工前プラスチック容器の上面図
【図２】加工前プラスチック容器の側面図
【図３】ミシン目、外周ツナギをカットした上面図
【図４】オス刃（連結内部）の形状図
【図５】メス刃（連結内部）の形状図
【図６】容器の打ち抜き工程（連結内部）を説明する概略図
【図７】オス刃でメス刃の間に打ち抜かれた星型形状の形状図
【図８】星型形状の切断説明図
【図９】オス刃（連結外周部）の形状図
【図１０】オス刃による連結外周部の切断説明図
【図１１】メス刃（連結外周部）の形状図
【図１２】メス刃による連結外周部の切断説明図
【図１３】本製品（本発明品のセパレートトレイ容器）の上面図
【図１４】本製品（本発明品のセパレートトレイ容器）のＡ―Ａ’断面図
【図１５】打ち抜かれた外周部の説明図
【発明を実施するための形態】
【００１６】
本発明に係るセパレートトレイ容器の製造方法を、以下、添付図面に基づいて説明する。
なお、本発明の実施の形態は、４個のトレイ収納部がつながっているセパレートトレイ容器で説明するが、本発明の製造方法は、２個あるいは６個以上の複数のトレイ収納部がつながっているセパレートトレイ容器であっても構わない。
【実施例】
【００１７】
図１、２は、４個のトレイ収納部がつながっている公知のトレイ容器の上面図と側面図である。トレイ容器１は、プラスチックの一体成型により形成された４個の円形のトレイ収納部２を有し、トレイ収納部２には食品等が収納される。
【００１８】
第１工程として、センバ製中間プレス機を使用し、トムソン刃により前記トレイ容器１の連結部３に、星型のとんがり部４（８カ所）、ミシン目５（４箇所）、コーナー部６（８箇所）の切れ目を入れる（図３参照）。
【００１９】
次に第２工程として、連結部３の中心部に図４、５に示すオス刃形状７のオス刃９とメス刃形状８のメス刃１０を用いて、とんがり部のある円形形状物（星型形状物）１２を打ち抜く（図６参照）。
この際、オス刃９は円周上の等間隔の４箇所に等しい長さの刃１１があり、メス刃１０には、中間プレス機を用いてプレスする星型のとんがり部５がそのまま通過できるように、円周上の等間隔の４箇所にとんがり部４がある。
上記記載の星型形状物１２は、図７に示す形状をしている。打ち抜き工程で使用するオス刃９は、図８に示す星型形状の切断部分のうち、図４に示すオス刃の刃１１の部分（４箇所）だけで良いため、打ち抜きの精度が高く、大量生産においても切り損なうことがない。
【００２０】
そして、図６に示すように、確実に打ち抜きした星型形状物１２は、メス刃１０の間に切り落とされるが、オス刃とメス刃の噛み合う部分１３の幅よりも、下の部分１４の幅の方が広くなっているため、打ち抜かれた星型形状物１２がメス刃１０の上の半製品１５上に舞い上がる心配もなく、安全である。
これは、メス刃の噛み合う部分１３が図５に示す星型形状８をしているので、切断された星型形状物１２の位置が少しでもずれれば、引っかかるためである。
【００２１】
第３工程として、外周部に図９、１１に示すオス刃形状１６とメス刃形状１７の異なる形状の刃を用いて、図１３、１４に示す本製品１８（本発明品のセパレートトレイ容器）を打ち抜く。
この際、ミシン目５とコーナー部６は、第１工程で切れ目が入っているため、第３工程では外周部の円形部分１９（図１５参照）を打ち抜けばよい。
打ち抜かれた本製品１８は、メス刃の間に切り落とされて回収され、コーナー残部（図１０，１２参照）は分離される。
【００２２】
トレイ収納部が２個の場合は、連結部３の内部の星型形状物１２の打ち抜きがなく、トレイ容器連結部３にミシン目５とコーナー部６の切り込みを入れ、コーナー部６の形状の異なる形状１６のオス刃と形状１７のメス刃（図８，９参照）を用いて連結外周部を打ち抜くことにより得られる。
【００２３】
トレイ収納部が６個以上の場合は、連結内部の星型形状物１２の打ち抜き箇所が複数になるため、形状７のオス刃９と形状８のメス刃１０（図４〜６参照）が複数個必要になる。トレイ収納部が６個の場合は、星型形状物の打ち抜き箇所が２箇所、８個の場合は３箇所、１０個の場合は４箇所と増えていく。
【符号の説明】
【００２４】
１・・・トレイ容器
２・・・トレイ収納部
３・・・連結部
４・・・とんがり部
５・・・ミシン目
６・・・コーナー部
７・・・オス刃形状（連結内部）
８・・・メス刃形状（連結内部）
９・・・オス刃（連結内部）
１０・・・メス刃（連結内部）
１１・・・オス刃の刃（連結内部）
１２・・・とんがり部のある円形形状物（星型形状物）
１３・・・オス刃とメス刃の噛み合う部分（メス刃の内径の狭い部分）
１４・・・メス刃の下方部分（メス刃の内径の広い部分）
１５・・・星型形状物の切り抜きがある半製品
１６・・・オス刃形状（連結外周部）
１７・・・メス刃形状（連結外周部）
１８・・・本製品（本発明品のセパレートトレイ容器）
１９・・・外周部の円形部分
【図１】
0005417316.tif 000002
【図２】
0005417316.tif 000003
【図３】
0005417316.tif 000004
【図４】
0005417316.tif 000005
【図５】
0005417316.tif 000006
【図６】
0005417316.tif 000007
【図７】
0005417316.tif 000008
【図８】
0005417316.tif 000009
【図９】
0005417316.tif 000010
【図１０】
0005417316.tif 000011
【図１１】
0005417316.tif 000012
【図１２】
0005417316.tif 000013
【図１３】
0005417316.tif 000014
【図１４】
0005417316.tif 000015
【図１５】
0005417316.tif 000016